(57)【要約】【課題】ＦＰＤカセッテカメラを用いて適切な撮影量の撮影を行い、撮影者及び患者の撮影負担を軽減することである。【解決手段】制御装置２０において、撮影オーダ情報生成装置としての情報管理装置６０から撮影オーダ情報を受信し、当該撮影オーダ情報に基づいて撮影対象の患者ごとの撮影枚数を算出し、当該算出した撮影枚数と所定枚数とを比較し、算出した撮影枚数が所定枚数以上である場合に、前記撮影オーダ情報をＣＲ撮影システムとしてのＸ線源４０及びＣＲカセッテ５０の組合せによるＣＲ撮影に用いる携帯端末１０に送信し、算出した撮影枚数が所定枚数未満である場合に、前記撮影オーダ情報をＦＰＤ撮影システムとしてのＸ線源４０及びＦＰＤカセッテカメラ７０の組合せによるＦＰＤ撮影に用いるＦＰＤカセッテカメラ７０に送信する。【選択図】図１
2005111056.tif 000002
【特許請求の範囲】
【請求項１】
患者をＣＲ方式及びＦＰＤ方式で撮影可能な医用画像撮影システムにおいて、
撮影対象の患者の撮影オーダ情報を生成する撮影オーダ情報生成装置と、
前記撮影オーダ情報を表示する第１の表示手段を備え、移動可能なＸ線源から発生されるＸ線及びＦＰＤカセッテカメラを用いて患者を撮影して画像データを取得するＦＰＤ撮影システムと、
前記撮影オーダ情報を表示する第２の表示手段を備え、移動可能なＸ線源から発生されるＸ線及びＣＲカセッテを用いて患者を撮影して画像データを取得するＣＲ撮影システムと、
前記撮影オーダ情報生成装置並びに前記ＣＲ撮影システム及び前記ＦＰＤ撮影システムに通信接続され、前記撮影オーダ情報生成装置から撮影オーダ情報を取得し、当該撮影オーダ情報を前記ＣＲ撮影システム及び前記ＦＰＤ撮影システムのうちの少なくとも１つに送信し、当該ＣＲ撮影システム及びＦＰＤ撮影システムのうちの少なくとも１つから撮影された画像データを受信し、受信した画像データと前記撮影オーダ情報とを関連付ける制御装置と、を備え、
前記制御装置は、
前記取得した撮影オーダ情報に基づいて、撮影枚数及び撮影サイズのうちの少なくとも１つを算出値として算出する算出手段と、
前記算出値を予め設定された所定値と比較し、前記算出値が前記所定値以上である場合に、前記撮影オーダ情報を前記ＣＲ撮影システムに送信し、前記算出値が前記所定値よりも小さい場合に、前記撮影オーダ情報を前記ＦＰＤ撮影システムに送信する配信手段と、を備えることを特徴とする医用画像撮影システム。
【請求項２】
前記第１の表示手段は、前記ＦＰＤカセッテカメラに設けられることを特徴とする請求項１に記載の医用画像撮影システム。
【請求項３】
前記第１の表示手段は、前記撮影オーダ情報を表示可能な第１の携帯端末であることを特徴とする請求項１に記載の医用画像撮影システム。
【請求項４】
前記第２の表示手段は、前記撮影オーダ情報を表示可能な第２の携帯端末であることを特徴とする請求項１から３のいずれか一項に記載の医用画像撮影システム。
【請求項５】
前記制御装置は、複数であり、当該複数の制御装置のうちの少なくとも１つに前記算出手段及び前記配信手段を備えることを特徴とする請求項１から４のいずれか一項に記載の撮影画像撮影システム。
【請求項６】
前記制御装置は、複数であり、
前記ＣＲ撮影システム及び前記ＦＰＤ撮影システムは、前記複数の制御装置のうちの前記撮影オーダ情報の送信元の制御装置に、前記画像データを送信することを特徴とする請求項１から５のいずれか一項に記載の撮影画像撮影システム。
【請求項７】
前記撮影枚数に対応する所定値は、２であることを特徴とする請求項１から６のいずれか一項に記載の撮影画像撮影システム。
【請求項８】
前記算出手段は、前記撮影オーダ情報に対応する患者ごとに撮影枚数及び撮影サイズのうちの少なくとも１つを算出値として算出し、
前記所定値は、前記患者単位の値であることを特徴とする請求項１から７のいずれか一項に記載の撮影画像撮影システム。
【発明の詳細な説明】
【技術分野】
【０００１】
本発明は、医用画像を撮影する医用画像撮影システムに関する。
【背景技術】
【０００２】
近年、病院内では、医用画像の撮影装置として、ＣＲ（Computed Radiography）撮影装置とともに、ＦＰＤ（Flat Panel Detector）を用いた撮影装置が用いられるようになってきた。これは、ＣＲ撮影装置に対し、ＦＰＤ撮影装置が撮影現場で一時的に技師などが画像を確認可能なため、撮影の成否などを直ちに確認できる利点を有している。
【０００３】
また、複数のＦＰＤ方式のデジタルカセッテ（以下、ＦＰＤカセッテカメラとする）を立位撮影装置や臥位撮影装置に装填し、立位撮影や臥位撮影に使用したり、あるいは、ポータブルＸ線装置とともにＦＰＤカセッテカメラを使用し、ベッドサイドでの撮影を可能とするＦＰＤ撮影システムが考えられている（例えば、特許文献１参照）。
【特許文献１】特開２００２−３３６２２５号公報
【発明の開示】
【発明が解決しようとする課題】
【０００４】
しかし、上記のＦＰＤカセッテカメラは軽量化されてきつつあるが、従来のコンベンショナルカセッテ、ＣＲ撮影用カセッテに比較して大幅な重量低減には至らず、また画像データの取り出しや残存データの消去のためのコネクタや、電源供給のためのコネクタ、センサーパネル、ドライバボードなどの電子基板を有しており、取り扱いがデリケートで、特に技師などが複数のＦＰＤカセッテカメラを保持しての移動中に落下させると、これらの電子部品が破損し、使用不可能となってしまうおそれがあった。
【０００５】
また、ＦＰＤカセッテカメラの外形も、前記コネクタなどの関係で、従来のコンベンショナルカセッテ、ＣＲ撮影用カセッテに比較してやや大きくなり、技師などが手と脇に数枚のＦＰＤカセッテカメラを保持して移動せねばならず、この移動の際に落下させやすかった。
【０００６】
また、患者の病室のベッドサイドで行うポータブル撮影専用としてＦＰＤカセッテカメラを設計するときには、ＦＰＤカセッテカメラに取っ手形状を把手形状を形成することも可能であるが、ＦＰＤカセッテカメラサイズが益々増大してしまうことになり好ましくない。
【０００７】
さらに、１つのＦＰＤカセッテカメラを繰り返し使用して撮影可能であるが、センサーパネルに残存する画像データの消去に時間を要するため、繰り返し撮影準備が完了するまでの間、患者には撮影姿勢の維持などの肉体的負担を強いるばかりでなく、技師などに拘束され続けるという心理的な負担を与えるおそれがあった。
【０００８】
本発明の課題は、ＦＰＤカセッテカメラを用いて適切な撮影量の撮影を行い、撮影者及び患者の撮影負担を軽減することである。
【課題を解決するための手段】
【０００９】
上記の課題を解決するために、請求項１に記載の発明は、患者をＣＲ方式及びＦＰＤ方式で撮影可能な医用画像撮影システムにおいて、
撮影対象の患者の撮影オーダ情報を生成する撮影オーダ情報生成装置と、
前記撮影オーダ情報を表示する第１の表示手段を備え、移動可能なＸ線源から発生されるＸ線及びＦＰＤカセッテカメラを用いて患者を撮影して画像データを取得するＦＰＤ撮影システムと、
前記撮影オーダ情報を表示する第２の表示手段を備え、移動可能なＸ線源から発生されるＸ線及びＣＲカセッテを用いて患者を撮影して画像データを取得するＣＲ撮影システムと、
前記撮影オーダ情報生成装置並びに前記ＣＲ撮影システム及び前記ＦＰＤ撮影システムに通信接続され、前記撮影オーダ情報生成装置から撮影オーダ情報を取得し、当該撮影オーダ情報を前記ＣＲ撮影システム及び前記ＦＰＤ撮影システムのうちの少なくとも１つに送信し、当該ＣＲ撮影システム及びＦＰＤ撮影システムのうちの少なくとも１つから撮影された画像データを受信し、受信した画像データと前記撮影オーダ情報とを関連付ける制御装置と、を備え、
前記制御装置は、
前記取得した撮影オーダ情報に基づいて、撮影枚数及び撮影サイズのうちの少なくとも１つを算出値として算出する算出手段と、
前記算出値を予め設定された所定値と比較し、前記算出値が前記所定値以上である場合に、前記撮影オーダ情報を前記ＣＲ撮影システムに送信し、前記算出値が前記所定値よりも小さい場合に、前記撮影オーダ情報を前記ＦＰＤ撮影システムに送信する配信手段と、を備えることを特徴とする。
【００１０】
請求項１に記載の発明によれば、制御装置において、取得した撮影オーダ情報に基づいて、撮影枚数及び撮影サイズのうちの少なくとも１つを算出値として算出し、当該算出値を所定値と比較し、算出値が所定値以上である場合に、撮影オーダ情報をＣＲ撮影システムに送信し、算出値が所定値よりも小さい場合に、撮影オーダ情報をＦＰＤ撮影システムに送信するので、撮影者は、ＣＲ撮影システム及びＦＰＤ撮影システムのうちの少なくとも１つに送信されて、第１及び第２の表示手段のうちの少なくとも１つに表示される撮影オーダ情報に基づいて、適切な持ち運び量のＦＰＤカセッテカメラを用意してＦＰＤ撮影を行うことができ、また、撮影量がＦＰＤカセッテカメラの適切な持ち運び量を超える場合にも、持ち運びが容易なＣＲカセッテを用いて撮影間隔が短いＣＲ撮影を行うことができ、撮影者及び患者の撮影負担を早期に軽減することができる。
【００１１】
請求項２に記載の発明は、請求項１に記載の医用画像撮影システムにおいて、
前記第１の表示手段は、前記ＦＰＤカセッテカメラに設けられることを特徴とする。
【００１２】
請求項２に記載の発明によれば、第１の表示手段がＦＰＤカセッテカメラに設けられるので、撮影者は、ＦＰＤカセッテカメラの表示手段に表示される撮影オーダ情報を容易に参照することができる。
【００１３】
請求項３に記載の発明は、請求項１に記載の医用画像撮影システムにおいて、
前記第１の表示手段は、前記撮影オーダ情報を表示可能な第１の携帯端末であることを特徴とする。
【００１４】
請求項３に記載の発明によれば、撮影者は、第１の携帯端末に表示される撮影オーダ情報を容易に参照することができる。
【００１５】
請求項４に記載の発明は、請求項１から３のいずれか一項に記載の医用画像撮影システムにおいて、
前記第２の表示手段は、前記撮影オーダ情報を表示可能な第２の携帯端末であることを特徴とする。
【００１６】
請求項４に記載の発明によれば、撮影者は、第２の携帯端末に表示される撮影オーダ情報を容易に参照することができる。
【００１７】
請求項５に記載の発明は、請求項１から４のいずれか一項に記載の医用画像撮影システムにおいて、
前記制御装置は、複数であり、当該複数の制御装置のうちの少なくとも１つに前記算出手段及び前記配信手段を備えることを特徴とする。
【００１８】
請求項５に記載の発明によれば、複数の制御装置のうちの少なくとも１つに算出手段及び配信手段を備えるので、適切なシステムの規模及びコストの医用画像撮影システムを構成することができる。
【００１９】
請求項６に記載の発明は、請求項１から５のいずれか一項に記載の医用画像撮影システムにおいて、
前記制御装置は、複数であり、
前記ＣＲ撮影システム及び前記ＦＰＤ撮影システムは、前記複数の制御装置のうちの前記撮影オーダ情報の送信元の制御装置に、前記画像データを送信することを特徴とする。
【００２０】
請求項６に記載の発明によれば、ＣＲ撮影システム及びＦＰＤ撮影システムは、複数の制御装置のうちの撮影オーダ情報の送信元の制御装置に画像データを送信するので、撮影オーダ情報の送信元の制御装置で、当該送信した撮影オーダ情報に対応して撮影された画像データを確実に取得することができる。
【００２１】
請求項７に記載の発明は、請求項１から６のいずれか一項に記載の医用画像撮影システムにおいて、
前記撮影枚数に対応する所定値は、２であることを特徴とする。
【００２２】
請求項７に記載の発明によれば、撮影枚数に対応する所定値が２であるので、撮影装置の設定及び撮影オーダ情報の配信をさらに適切に行うことができる。
【００２３】
請求項８に記載の発明は、請求項１から７のいずれか一項に記載の医用画像撮影システムにおいて、
前記算出手段は、前記撮影オーダ情報に対応する患者ごとに撮影枚数及び撮影サイズのうちの少なくとも１つを算出値として算出し、
前記所定値は、前記患者単位の値であることを特徴とする。
【００２４】
請求項８に記載の発明によれば、患者ごとの算出値と所定値とを比較するので、撮影装置の設定及び撮影オーダ情報の配信をさらに適切に行うことができる。
【発明の効果】
【００２５】
請求項１に記載の発明によれば、制御装置において、取得した撮影オーダ情報に基づいて、撮影枚数及び撮影サイズのうちの少なくとも１つを算出値として算出し、当該算出値を所定値と比較し、算出値が所定値以上である場合に、撮影オーダ情報をＣＲ撮影システムに送信し、算出値が所定値よりも小さい場合に、撮影オーダ情報をＦＰＤ撮影システムに送信するので、撮影者は、ＣＲ撮影システム及びＦＰＤ撮影システムのうちの少なくとも１つに送信されて、第１及び第２の表示手段のうちの少なくとも１つに表示される撮影オーダ情報に基づいて、適切な持ち運び量のＦＰＤカセッテカメラを用意してＦＰＤ撮影を行うことができ、また、撮影量がＦＰＤカセッテカメラの適切な持ち運び量を超える場合にも、持ち運びが容易なＣＲカセッテを用いて撮影間隔が短いＣＲ撮影を行うことができ、撮影者及び患者の撮影負担を早期に軽減することができる。
【００２６】
請求項２に記載の発明によれば、第１の表示手段がＦＰＤカセッテカメラに設けられるので、撮影者は、ＦＰＤカセッテカメラの表示手段に表示される撮影オーダ情報を容易に参照することができる。
【００２７】
請求項３に記載の発明によれば、撮影者は、第１の携帯端末に表示される撮影オーダ情報を容易に参照することができる。
【００２８】
請求項４に記載の発明によれば、撮影者は、第２の携帯端末に表示される撮影オーダ情報を容易に参照することができる。
【００２９】
請求項５に記載の発明によれば、複数の制御装置のうちの少なくとも１つに算出手段及び配信手段を備えるので、適切なシステムの規模及びコストの医用画像撮影システムを構成することができる。
【００３０】
請求項６に記載の発明によれば、ＣＲ撮影システム及びＦＰＤ撮影システムは、複数の制御装置のうちの撮影オーダ情報の送信元の制御装置に画像データを送信するので、撮影オーダ情報の送信元の制御装置で、当該送信した撮影オーダ情報に対応して撮影された画像データを確実に取得することができる。
【００３１】
請求項７に記載の発明によれば、撮影枚数に対応する所定値が２であるので、撮影装置の設定及び撮影オーダ情報の配信をさらに適切に行うことができる。
【００３２】
請求項８に記載の発明によれば、患者ごとの算出値と所定値とを比較するので、撮影装置の設定及び撮影オーダ情報の配信をさらに適切に行うことができる。
【発明を実施するための最良の形態】
【００３３】
以下、図を参照して本発明の実施の形態を詳細に説明する。ただし、発明の範囲は、図示例に限定されない。なお、以下では、本発明に特徴的な実施の形態の一例として、持ち運び可能な携帯端末と、移動可能なＣＲ撮影装置及びＦＰＤカセッテカメラを利用した、回診先にて撮影を行う医用画像撮影システムについて説明を行う。
【００３４】
まず、図１〜図５を参照して、本実施の形態の装置構成を説明する。図１に、本実施の形態の医用画像撮影システム１００の構成を示す。
図１に示すように、医用画像撮影システム１００は、携帯端末１０，…、通信端末１０−１，…、制御装置２０，…、ＣＲ画像読取装置３０，…、Ｘ線源４０、ＣＲカセッテ５０、情報管理装置６０、ＦＰＤカセッテカメラ７０，…などから構成されている。また、制御装置２０、ＣＲ画像読取装置３０及び情報管理装置６０は、ネットワークＮを介して接続されている。なお、携帯端末１０、通信端末１０−１、制御装置２０、ＣＲ画像読取装置３０、Ｘ線源４０、ＣＲカセッテ５０、ＦＰＤカセッテカメラ７０は、それぞれ少なくとも１台設置されている構成であり、特定の台数に限られるものではない。
【００３５】
携帯端末１０は、通信端末１０−１に装着可能である。携帯端末１０は、ＣＲ撮影を行う技師などが携帯する携帯型情報端末装置であり、通信端末１０−１を介して制御装置２０と通信を行う。また、携帯端末１０は、制御装置２０から撮影オーダ情報を取得して表示するが、例えば複数患者の撮影オーダがある場合、撮影オーダ情報の中から所望の患者ＩＤに対応する撮影オーダ情報を検索して表示してもよい。また、携帯端末１０は、撮影開始時に、技師の識別情報（以下「技師ＩＤ」と記す）、ＣＲカセッテ５０の識別情報（以下、「カセッテＩＤ」と記す）、撮影装置の識別情報（以下、「撮影装置ＩＤ」と記す）を取得し、撮影オーダ情報に対応付けて記憶する。撮影装置は、ＣＲ撮影装置としてのＸ線源４０及びＣＲカセッテ５０の組合せと、ＦＰＤ撮影装置としてのＸ線源４０及びＦＰＤカセッテカメラ７０の組合せとである。
【００３６】
通信端末１０−１は、ケーブルなどを介して制御装置２０と接続され、通信端末１０−１に装着された携帯端末１０と制御装置２０との間でデータの送受信を制御する。例えば、通信端末１０−１は、制御装置２０から携帯端末１０への撮影オーダ情報の送信を制御したり、携帯端末１０から制御装置２０への技師ＩＤ、カセッテＩＤ及び撮影装置ＩＤの送信を制御する。
【００３７】
制御装置２０は、情報管理装置６０から撮影オーダ情報を受信し、受信した撮影オーダ情報に基づいて画像データの撮影を管理するとともに、携帯端末１０、ＣＲ画像読取装置３０及びＦＰＤカセッテカメラ７０から受信する情報に基づいて画像データの撮影履歴を管理する装置である。例えば、制御装置２０は、情報管理装置６０から受信した撮影オーダ情報を通信端末１０−１を介して携帯端末１０に送信する。また、制御装置２０は、撮影終了後、携帯端末１０から撮影オーダ情報に対応付けられた技師ＩＤ、カセッテＩＤ及び撮影装置ＩＤを受信する。また、制御装置２０は、ＣＲ画像読取装置３０から、画像データと、画像データに対応付けられたカセッテＩＤ及び読取装置の識別情報（以下、「読取装置ＩＤ」と記す）とを受信する。そして、制御装置２０は、撮影オーダ情報に基づいて、画像データ、技師ＩＤ、カセッテＩＤ、撮影装置ＩＤ、読取装置ＩＤなどを対応付けて管理する。
【００３８】
また、制御装置２０は、情報管理装置６０から受信した撮影オーダ情報をネットワークＮを介してＦＰＤカセッテカメラ７０に送信する。また、制御装置２０は、撮影終了後、ＦＰＤカセッテカメラ７０から画像データと、撮影オーダ情報に対応付けられた技師ＩＤ及び撮影装置ＩＤを受信する。そして、制御装置２０は、撮影オーダ情報に基づいて、画像データ、技師ＩＤ、撮影装置ＩＤ、読取装置ＩＤなどを対応付けて管理する。
【００３９】
ＣＲ画像読取装置３０は、ＣＲカセッテ５０に記録された医用画像を画像データとして読み取るＣＲ画像読取装置である。ＣＲ画像読取装置３０は、ＣＲカセッテ５０の輝尽性蛍光体シートに励起光を照射し、これによりシートから発光される輝尽光を光電変換し、得られた画像信号をＡ／Ｄ変換して、画像データを取得する。また、ＣＲ画像読取装置３０は、ＣＲカセッテ５０に付帯するカセッテＩＤを読み取り、医用画像と、カセッテＩＤ及び自装置の読取装置ＩＤとを対応付けて制御装置２０に送信する。
【００４０】
Ｘ線源４０は、Ｘ線を発生する管球などにより構成され、移動可能なＸ線源であり、ベッドサイドなどの患者の回診時に行われるＣＲ撮影又はＦＰＤ撮影に用いるＸ線を発生する。ＣＲカセッテ５０は、放射線エネルギーの一部を蓄積する輝尽性蛍光体シートを内蔵しており、Ｘ線源４０から照射され、照射線源とカセッテとの間に配置される被験体を通過したＸ線の照射エネルギーの一部を上記輝尽性蛍光体シートに蓄積する。なお、ＣＲカセッテ５０の表面には、ＣＲカセッテ５０の識別情報となるカセッテＩＤを記録するバーコードなどが付されている。
【００４１】
情報管理装置６０は、医師から指示された撮影オーダ情報を一括して管理する端末であり、制御装置２０からの要求指示に応じて、撮影オーダ情報を抽出し、制御装置２０に抽出した撮影オーダ情報を送信する。なお、他の情報管理装置として、撮影オーダ情報の予約受付を行う受付装置（図示せず）を適用しても良く、ＨＩＳ（Hospital Information System）やＲＩＳ（Radiology Information System）などの情報管理システムを適用することとしてもよい。
【００４２】
ネットワークＮは、ＬＡＮ（Local Area Network）やＷＡＮ（Wide Area Network）、インターネットなどの様々な回線形態を適用可能である。なお、病院などの医療機関内で医療機器に支障のある無線ＬＡＮなどを除く。しかし、許可されるのであれば、無線通信や赤外線通信であってもよいが、撮影オーダ情報を送受信する際には重要な患者情報を含むため、撮影オーダ情報は暗号化することが好ましい。また、ネットワークＮ上の機器同士のデータ送受信は、送信元の機器が送信先の機器のＩＰ（Internet Protocol）アドレスを指定してデータ送信するものとする。
【００４３】
次に、本発明において主要な構成要素となる各装置について詳細に説明する。
図２に、携帯端末１０の機能的構成を示す。図２に示すように、携帯端末１０は、ＣＰＵ（Central Processing Unit）１１、操作部１２、表示部１３、通信手段としてのＩ／Ｆ（インタフェース）１４、ＲＡＭ（Random Access Memory）１５、記憶装置１６、バーコードリーダ１７などから構成され、各部はバス１８により接続されている。
【００４４】
ＣＰＵ１１は、記憶装置１６に格納されているシステムプログラム及び各種アプリケーションプログラムの中から指定されたプログラムをＲＡＭ１５に展開し、ＲＡＭ１５に展開されたプログラムとの協働で、携帯端末１０の各部を集中制御する。
【００４５】
操作部１２は、カーソルキー、数字キー及び各種機能キーなどを備えて構成され、撮影者により押下されたキーに対応する押下信号をＣＰＵ１１に出力する。また、操作部１２は、ジョグダイアルキーを備え、ジョグダイアルキーの操作に応じて表示部１３に表示された情報をスクロール（移動）させるための指示信号をＣＰＵ１１に出力する。また、ジョグダイアルキーが押下されると、表示されている情報に対する押下信号をＣＰＵ１１に出力する。なお、操作部１２は、必要に応じてタッチパネルなどのポインティングデバイスや、その他の入力装置を備えるものとしてもよい。また、ジョグダイアルキーに代えてタッチキーなどとする構成でもよい。
【００４６】
表示部１３は、ＬＣＤ（Liquid Crystal Display）、ＥＬディスプレイ（ElectroLuminescent Display）などによる表示ディスプレイを備えた表示手段であり、ＣＰＵ１１からの表示指示に基づいて撮影オーダ情報や、取得した患者ＩＤ，技師ＩＤ，カセッテＩＤ，撮影装置ＩＤなどの各種情報を表示する。
【００４７】
Ｉ／Ｆ１４は、携帯端末１０と通信端末１０−１とを接続するためのインターフェースであり、携帯端末１０が通信端末１０−１に装着されると、検出信号をＣＰＵ１１に出力する。また、Ｉ／Ｆ１４は、通信端末１０−１を介して、携帯端末１０と制御装置２０との間で、データの転送速度の調整や、データ形式の変換を行い、両者間のデータのやりとりを仲介する。
【００４８】
例えば、Ｉ／Ｆ１４は、制御装置２０から撮影オーダ情報を受信するとともに、撮影終了後、撮影オーダ情報に対応づけられた技師ＩＤ、カセッテＩＤ、撮影装置ＩＤを、制御装置２０に送信する。
【００４９】
ＲＡＭ１５は、前述の指定されたアプリケーションプログラム、入力指示、入力データ及び処理結果などを格納するワークメモリエリアを有する。
【００５０】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータなどを記憶する。また、この記憶媒体は磁気的、光学的記憶媒体又は半導体メモリで構成され、記憶装置１６に固定的に設けられるもの又は着脱自在に装着するものである。
【００５１】
また、記憶装置１６は、制御装置２０から受信した撮影オーダ情報を格納するための撮影オーダ情報ファイル１６１を記憶している。図３を参照して撮影オーダ情報ファイル１６１について説明する。図３に、撮影オーダ情報ファイル１６１のデータ構成例を示す。
【００５２】
図３に示すように、撮影オーダ情報ファイル１６１は、撮影ＩＤ、患者ＩＤ、氏名、性別、年齢、病室、依頼科、撮影部位、撮影枚数、撮影サイズ及び撮影装置ＩＤを格納する項目と、撮影開始後に取得される技師ＩＤ、カセッテＩＤを格納するための項目を有し、撮影オーダ情報毎に各項目に対応するデータを格納する。
【００５３】
撮影ＩＤの項目には、撮影を特定するために一義的に割り当てられた識別コード（例えば、20020101001、20020101002、20020101003、…）が格納される。患者ＩＤの項目には、撮影を受ける患者を特定するために一義的に割り当てられた識別コード（例えば、10000001、10000002、10000003、1000005、…）が格納される。氏名の項目には、撮影対象となる患者の名前を示す文字情報が格納され、性別の項目には、撮影対象となる患者の性別を示す文字情報が格納される。年齢の項目には、撮影対象となる患者の年齢が数字情報により格納され、病室の項目には、撮影場所となる病室を示す文字情報が格納される。
【００５４】
依頼科の項目には、撮影を依頼した依頼科を示す文字情報が格納され、撮影部位の項目には、撮影部位を示す情報（例えば、頭蓋骨Ａ→Ｐ、頭蓋骨Ｐ→Ａ、胸部Ｐ→Ａ、…）が格納され、撮影枚数の項目には、撮影する医用画像の枚数が数字情報（例えば、２，１，４，５，…）により格納される。撮影サイズの項目には、撮影する医用画像の画像データのサイズ（例えば、半切、大四切など）が格納される。
【００５５】
技師ＩＤの項目には、撮影を行った技師を特定するために一義的に割り当てられた識別コード（例えば、技師の所持するＩＤカードなどに付されたバーコードから読み取られる情報）が格納される。カセッテＩＤの項目には、撮影を行ったＣＲカセッテ５０を特定するために一義的に割り当てられた識別コード（例えば、ＣＲカセッテ５０に付されたバーコードなどから読み取られる情報）が格納される。
【００５６】
撮影装置ＩＤの項目には、ＣＲ撮影を行ったＸ線源４０及びＣＲカセッテ５０との組合せ、あるいはＦＰＤ撮影を行ったＸ線源４０及びＦＰＤカセッテカメラ７０の組合せを特定するために一義的に割り当てられた識別コード（例えば、Ｘ線源４０、ＣＲカセッテ５０、ＦＰＤカセッテカメラ７０に付されたバーコードなどから読み取られる情報の組合せであり、Ｘ線源４０及びＣＲカセッテ５０との組合せを示すCR001，CR002，…、Ｘ線源４０及びＦＰＤカセッテカメラ７０との組合せを示すFPD001…）が格納される。なお、本実施の形態では、ＣＲ撮影に対応する撮影装置ＩＤを、Ｘ線源４０及びＣＲカセッテ５０の組合せを示す情報とするが、ＣＲカセッテ５０の情報がカセッテＩＤに含まれているため、ＣＲ撮影である旨とＸ線源４０を識別する情報との組合せとしてもよい。
【００５７】
なお、上述した撮影装置ＩＤは、後述する撮影前処理において撮影オーダ情報ファイル１６１に格納される。また、上述した技師ＩＤ、カセッテＩＤのデータは撮影前においては撮影オーダ情報ファイル１６１には格納されておらず、撮影開始時にバーコードリーダ１７により読み取られた各データが格納される構成となっている。
【００５８】
また、撮影オーダ情報には、患者情報として患者ＩＤ、氏名、性別、年齢の他、例えば、担当医師名、感染症などを警告する警告情報、薬物アレルギーの有無、妊娠の有無、追加病歴、車椅子や担架などの特別な介護の必要性、臨床診断名、守秘事項などの各種患者情報が格納される構成であっても良い。また、撮影情報として撮影部位、撮影装置、撮影枚数及び撮影サイズの他、例えば、撮影方法（単純撮影、造影撮影など）、撮影予定日などの各種撮影情報が格納される構成、場合によってはパスワード入力により表示可能とする構成であってもよい。
【００５９】
バーコードリーダ１７は、技師ＩＤ、カセッテＩＤ、撮影装置ＩＤなどを取得するための取得手段の一例であり、光学的な読み取り装置であるスキャナを備えている。バーコードリーダ１７は、スキャナにてバーコードを読み取り、所定の規格に従ってデコードすることにより、バーコードが示す情報を取得する。例えば、バーコードリーダ１７は、撮影を行う際に技師のＩＤカードなどに付帯するバーコードを読み取り技師ＩＤを取得し、医用画像を記録するＣＲカセッテ５０に付帯されたバーコードを読み取りカセッテＩＤを取得する。
【００６０】
また、バーコードリーダ１７は、患者のベッドサイド又は患者の身体の一部に付帯されたバーコードを読み取り、患者ＩＤを取得し、撮影装置に付帯するバーコードを読み取り、撮影装置ＩＤを取得する。なお、所定の規格とは、ＪＡＮコード、ＵＰＣコード、ＣＯＤＥ３９、ＣＤＥ９３、ＣＯＤＥ１２８、ＮＷ−７、ＩＮＤＵＳＴＲＩＡＬ  ２ｏｆ５、ＩＴＦ物流コードなどである。
【００６１】
図４に、制御装置２０の機能的構成を示す。図４に示すように、制御装置２０は、ＣＰＵ２１、操作部２２、表示部２３、通信制御部２４、ＲＡＭ２５、記憶装置２６、Ｉ／Ｆ２７などを備えて構成され、各部はバス２８により接続されている。
【００６２】
ＣＰＵ２１は、記憶装置２６に記憶されているシステムプログラムや各種制御プログラムを読み出し、ＲＡＭ２５に展開し、ＲＡＭ２５に展開された制御プログラムとの協働で、各部の動作を集中制御する。また、ＣＰＵ２１は、ＲＡＭ２５に展開したプログラムに従って各種処理を実行し、その処理結果をＲＡＭ２５に一時記憶させるとともに、表示部２３に表示させる。
【００６３】
具体的に、ＣＰＵ２１及びＲＡＭ２５は、記憶装置２６から撮影前処理プログラム、撮影後処理プログラムを読み出して、後述する撮影前処理、撮影後処理を実行する。
【００６４】
操作部２２は、カーソルキー、数字入力キー、及び各種機能キーなどを備えたキーボードを含み、このキーボードで押下されたキーに対応する押下信号をＣＰＵ２１に出力する。なお、操作部２２は、必要に応じてマウス、タッチパネルなどのポインティングデバイスや、その他の入力装置を備えることとしてもよい。
【００６５】
表示部２３は、ＬＣＤやＣＲＴ（Cathode Ray Tube）、ＥＬディスプレイなどにより構成され、ＣＰＵ２１から入力される表示信号の指示に従って、操作部２２からの入力指示やデータなどを表示する。
【００６６】
通信制御部２４は、ＬＡＮカードやルータやＴＡ（Terminal Adapter）などによって構成され、通信回線を介してネットワークＮに接続された各装置との間の通信を制御する。
【００６７】
ＲＡＭ２５は、ＣＰＵ２１により実行制御される各種処理において、記憶装置２６から読み出されたＣＰＵ２１で実行可能なシステムプログラム、制御プログラム、入力若しくは出力データ、及びパラメータなどの一時的に記憶する記憶領域を形成する。
【００６８】
記憶装置２６は、ＨＤＤ（Hard Disc Drive）や不揮発性の半導体メモリなどにより構成され、ＣＰＵ２１で実行されるシステムプログラム、当該システムプログラムに対応する各種処理プログラム、及び処理結果などを記憶する。また、プログラムやデータが予め記憶された記録媒体（図示省略）を有しており、この記録媒体は、磁気的、光学的記録媒体、もしくは半導体メモリで構成され、記憶装置２６に固定的、或いは着脱自在に装着するものである。これらの各種プログラムは、ＣＰＵ２１の読取可能なプログラムコードの形態で格納される。
【００６９】
また、制御装置２０の記憶装置２６は、情報管理装置６０から受信した撮影オーダ情報を記憶するための撮影オーダ情報ファイル（図示せず）と、医用画像の撮影履歴を管理するための撮影履歴管理ファイル２６１とを格納している。なお、撮影オーダ情報ファイルは、上述した撮影オーダ情報ファイル１６１（図３参照）と略同一の構成によってなるため、図示及び詳細な説明を省略する。図５を参照して、撮影履歴管理ファイル２６１について説明する。
【００７０】
図５に、撮影履歴管理ファイル２６１のデータ構成例を示す。図５に示すように、撮影履歴管理ファイル２６１には、撮影ＩＤ、撮影日時、技師ＩＤ、カセッテＩＤ、撮影装置ＩＤ、読み取り装置ＩＤを格納する項目が設けられている。
【００７１】
撮影ＩＤの項目には、上述した撮影オーダ情報ファイル１６１に記憶されている撮影オーダ情報を一義的に特定する識別コード（例えば、20020101001，…）が格納され、撮影ＩＤにより、上述した撮影オーダ情報と対応付けが行われる。撮影日時の項目には、医用画像が撮影された日時を示す情報（例えば、2003/3/3，…）が格納される。
【００７２】
技師ＩＤの項目には、医用画像を撮影した技師を一義的に特定する識別情報（例えば、sato1234，…）が格納され、カセッテＩＤの項目には、画像データが格納されていたＣＲカセッテ５０を一義的に特定する識別情報（例えば、04000108022016，…）が格納される。撮影装置ＩＤの項目には、医用画像をＣＲ撮影したＸ線源４０及びＣＲカセッテ５０の組合せ、又はＦＰＤ撮影したＸ線源４０及びＦＰＤカセッテカメラ７０の組合せを一義的に特定する識別情報（例えば、FPD001，CR001，…）が格納される。
【００７３】
読取装置ＩＤの項目には、医用画像をＣＲカセッテ５０から読み取ったＣＲ画像読取装置３０を一義的に特定する識別情報（例えば、E1100101，…）が格納される。なお、読取装置ＩＤを撮影装置ＩＤに含める構成としてもよい。
【００７４】
なお、上述した撮影ＩＤ、撮影日時、技師ＩＤ、カセッテＩＤ及び撮影装置ＩＤは、後述する撮影後処理において、携帯端末１０、ＣＲ画像読取装置３０、ＦＰＤカセッテカメラ７０から送信される情報であり、読取装置ＩＤは、ＣＲ画像読取装置３０から送信される情報である。なお、撮影履歴管理ファイル２６１に記憶される情報は、上述した例に限定されず、その他必要に応じて種々の情報を記憶可能である。
【００７５】
Ｉ／Ｆ２７は、制御装置２０と通信端末１０−１とを接続するためのインターフェースであり、携帯端末１０が通信端末１０−１に装着されたことを検出すると、検出信号をＣＰＵ２１に出力する。また、Ｉ／Ｆ２７は、通信端末１０−１を介して、制御装置２０と携帯端末１０との間で、データの転送速度の調整や、データ形式の変換を行い、両者間のデータのやりとりを仲介する。例えば、Ｉ／Ｆ２７は、撮影開始前の携帯端末１０に撮影オーダ情報を送信するとともに、撮影終了後の携帯端末１０から撮影オーダ情報に対応付けられた技師ＩＤ、カセッテＩＤ、撮影装置ＩＤを受信する。
【００７６】
続いて、ＣＲ画像読取装置３０について説明する。なお、ＣＲ画像読取装置３０の機能的構成は、上述した制御装置２０と略同様の構成によってなるため、同一部分には対応する名称を付し、図示及び詳細な説明は省略する。すなわち、ＣＲ画像読取装置３０は、ＣＰＵ３１、操作部３２、表示部３３、通信制御部３４、ＲＡＭ３５、記憶装置３６、画像読取部３７、バーコードリーダ３８などを備えて構成され、各部はバス３９により接続されている。
【００７７】
画像読取部３７は、ＣＲカセッテ５０の輝尽性蛍光体層に励起光を照射して、蓄積された放射線エネルギーに相当する蛍光を発光させ、当該発光させた蛍光を光電変換して、放射線画像データを取得する。
【００７８】
バーコードリーダ３８は、カセッテＩＤを取得する取得手段の一例であり、光学的な読み取り装置であるスキャナを備えている。バーコードリーダ３８は、画像読取部３７に装着されたＣＲカセッテ５０の表面に付されたバーコードを読み取り、カセッテＩＤを取得する。また、バーコードリーダ３８により技師ＩＤを読み取る構成としてもよい。
【００７９】
ＣＰＵ３１は、画像読取部３７により読み取られた医用画像と、バーコードリーダ３８により読み取られたカセッテＩＤと、医用画像の読み取りを行った医用画像撮影装置、すなわち自装置を一義的に特定する読取装置ＩＤとを取得し、通信制御部３４を制御して、医用画像にカセッテＩＤ及び読取装置ＩＤを対応付けて制御装置２０に送信する。ここで、医用画像に対応付けられるカセッテＩＤ及び読取装置ＩＤは、例えば、ＤＩＣＯＭ（Digital Imaging and Communications Medicine）規格に基づいて伝送されることが望ましい。
【００８０】
次いで、図６を参照して、ＦＰＤカセッテカメラ７０の内部構成を説明する。図６に、ＦＰＤカセッテカメラ７０の機能的構成を示す。ＦＰＤカセッテカメラ７０は、ＣＰＵ７１と、操作部７２と、表示部７３と、画像読取部７４と、ＲＡＭ７５と、記憶装置７６と、通信制御部７７とから構成され、各部はバス７８により接続されている。
【００８１】
ＣＰＵ７１、操作部７２、表示部７３、ＲＡＭ７５、記憶装置７６、通信制御部７７は、それぞれ、制御装置２０のＣＰＵ２１、操作部２２、表示部２３、ＲＡＭ２４、記憶装置２６、通信制御部２４と同様であり、異なる部分を主として説明する。
【００８２】
画像読取部７４は、ＴＦＴ（Thin Film Transistor）などを用いた画素マトリクス状センサパネルなどにより構成され、当該画素マトリクス状センサパネルに入射されたＸ線を画素ごとに感知することで、画像データを取得する。画像読取部７４は、Ｘ線源４０から発生されたＸ線を読み取る。ＦＰＤカセッテカメラ７０及びＸ線源４０は、ポータブルで位置を自在に設置できる。ＦＰＤ撮影時には、患者の病室のベッドサイドなどで、Ｘ線源から発生されたＸ線が画像読取部７４の画像読取面に照射されるように、ＦＰＤカセッテカメラ７０及びＸ線源４０が設置される。患者が画像読取部７４の画像読取面に被写体部分が位置するように静止し、Ｘ線源４０から発生されたＸ線が被写体部分に照射され、患者を透過したＸ線が画像読取部７４に入射され、当該透過Ｘ線が画像読取部７４により読み取られて画像データが取得され、記憶装置７６に記憶される。
【００８３】
表示部７３は、ＬＣＤ、ＥＬなどにより構成され、記憶装置７６に記憶された撮影済の画像データと、制御装置２０から送信された撮影オーダ情報とが表示可能である。操作部７２は、携帯機器用のキーなどを備える。また、表示部７３及び操作部７２は、一体的にタッチパネルを構成することとしてもよい。また、携帯端末１０の表示部１３及び操作部１２も、同様にタッチパネルを構成することとしてもよい。
【００８４】
次に、図７及び図８を参照して、本実施の形態の医用画像撮影システム１００の動作を説明する。図７に、制御装置２０において実行される撮影前処理を示す。図８に、制御装置２０において実行される撮影後処理を示す。
【００８５】
先ず、図７を参照して制御装置２０において実行される撮影前処理を説明する。予め、ＨＩＳ／ＲＩＳ２０において、これから撮影する撮影に対応する撮影オーダ情報が作成及び記憶されている。制御装置２０において、ＨＩＳ／ＲＩＳ２０から送信された前記撮影オーダ情報をネットワークＮ及び通信制御部２４を介して受信開始したことをトリガとして、ＣＰＵ２１は、記憶装置２６に記憶されている撮影前処理プログラムを読み出してＲＡＭ２５に展開し、そのＲＡＭ２５内の撮影前処理プログラムとの協働により撮影前処理を実行する。
【００８６】
先ず、ＨＩＳ／ＲＩＳ２０から送信された撮影オーダ情報が、ネットワークＮ及び通信制御部２４を介して受信されて記憶装置２６に撮影オーダ情報ファイルとして記憶される（ステップＳ１１）。但し、撮影オーダ情報中の撮影装置ＩＤは、未設定であるか、あるいは仮に設定されているものとする。また、操作者により、撮影オーダ情報内の足りない情報や変更された情報などが操作部２２から入力されて、撮影オーダ情報が更新される構成としてもよい。
【００８７】
そして、ステップＳ１１において受信された撮影オーダ情報から、撮影対象の患者ＩＤが読み出され、当該患者ＩＤに対応する未選択の患者が一人選択され、当該選択された患者の撮影枚数が算出される（ステップＳ１２）。例えば、図３に示す撮影オーダ情報ファイル１６１において、患者ＩＤ1000001に対応する撮影枚数が２であり、患者ＩＤ1000002に対応する撮影枚数が（１＋１）＝２であり、患者ＩＤ1000003に対応する撮影枚数が４であり、患者ＩＤ1000005に対応する撮影枚数が（５＋５）＝１０である。
【００８８】
そして、ステップＳ１２において算出された撮影枚数が３枚以上であるか否かが判別される（ステップＳ１３）。撮影枚数が３枚未満である場合（ステップＳ１３；ＮＯ）、撮影装置ＩＤがＦＰＤ撮影装置のＩＤに設定される（ステップＳ１４）。具体例としては、図３に示す撮影オーダ情報ファイル１６１において、撮影枚数が１又は２枚の患者ＩＤ1000001，1000002に対応する撮影装置ＩＤが、ＦＰＤ撮影装置としてのＸ線源４０及びＦＰＤカセッテカメラ７０の組合せに対応するFPD001，FPD002に設定される。
【００８９】
撮影枚数が３枚以上である場合（ステップＳ１３；ＹＥＳ）、撮影装置ＩＤがＣＲ撮影装置のＩＤに設定される（ステップＳ１５）。具体例としては、図３に示す撮影オーダ情報ファイル１６１において、撮影枚数が３枚以上の患者ＩＤ1000003，1000005に対応する撮影装置ＩＤが、ＣＲ撮影装置としてのＸ線源４０及びＣＲカセッテ５０の組合せに対応するCR001に設定される。
【００９０】
そして、撮影オーダ中に未選択の患者（患者ＩＤ）があるか否かが判別される（ステップＳ１６）。未選択の患者がある場合（ステップＳ１６；ＹＥＳ）、ステップＳ１２に移行され、未選択の患者ＩＤが取得されてその撮影枚数が算出される。未選択の患者がない場合（ステップＳ１６；ＮＯ）、撮影装置ＩＤを含む撮影オーダ情報が、ＦＰＤカセッテカメラ７０及び携帯端末１０のうちの少なくとも１つに、通信制御部２４、Ｉ／Ｆ２７を介して送信される（ステップＳ１７）、撮影前処理が終了される。
【００９１】
ステップＳ１７は、例えば、撮影オーダ情報の撮影装置ＩＤにＦＰＤカセッテカメラ７０が設定されている場合に、撮影オーダ情報が、通信制御部２４及びネットワークＮを介して撮影対象のＦＰＤカセッテカメラ７０に送信される。また、撮影オーダ情報の撮影装置ＩＤに携帯端末１０が設定されている場合に、撮影オーダ情報が、Ｉ／Ｆ２７及び通信端末１０−１を介して撮影時に使用する携帯端末１０に送信される。そして、撮影オーダ情報の撮影装置ＩＤに携帯端末１０及びＦＰＤカセッテカメラ７０が設定されている場合に、撮影オーダ情報が、撮影対象のＦＰＤカセッテカメラ７０と、撮影時に使用する携帯端末１０との両方に送信される。
【００９２】
撮影前処理のステップＳ１７に対応して、撮影対象のＦＰＤカセッテカメラ７０と、撮影時に使用する携帯端末１０とのうちの少なくとも１つにおいて、制御装置２０から撮影オーダ情報が受信される。ＦＰＤカセッテカメラ７０において通信制御部７７を介して撮影オーダ情報が受信された場合、撮影オーダ情報が表示部７３に表示される。このとき、ＦＰＤカセッテカメラ７０において、撮影オーダ情報の撮影枚数及び撮影サイズから、カセッテサイズ及びカセッテ枚数が算出され、撮影オーダ情報とともに、カセッテサイズ及びカセッテ枚数も表示される。技師は、撮影オーダ情報、カセッテサイズ及びカセッテ枚数に基づいて、使用するＦＰＤカセッテカメラ７０と、Ｘ線源４０とを用意する。ＦＰＤカセッテカメラ７０に対応する撮影枚数は、２枚までである。よって、技師は、ＣＲカセッテ５０に比べて壊れやすく、持ち運びが容易でないＦＰＤカセッテカメラ７０について、撮影に要する分のＦＰＤカセッテカメラ７０を容易に持ち運ぶことができる。
【００９３】
技師は、表示部７３に表示された撮影オーダ情報を参照して、操作部７２における操作入力などによりＦＰＤカセッテカメラ７０と、Ｘ線源４０とを用いて患者を撮影する。Ｘ線源４０とＦＰＤカセッテカメラ７０の画像読取部７４との間に、患者の被写体部分が位置するように、Ｘ線源４０及びＦＰＤカセッテカメラ７０がセットされる。そして、Ｘ線源４０から発生されたＸ線が患者を透過し、その透過したＸ線が画像読取部７４により読み取られて画像データが取得される。撮影された画像データは、記憶部７６に記憶されるとともに表示部７３に表示される。技師は、表示部７３に表示された画像データが正常に撮影されているか否かを確認し、正常に撮影されている場合に、操作部７２を介して画像データの送信指示及び技師ＩＤを入力する。そして、撮影された画像データが、撮影装置ＩＤ及び技師ＩＤを含む撮影結果情報とともに、通信制御部７７を介して、撮影オーダ情報の送信元の制御装置２０に送信される。また、ＦＰＤカセッテカメラ７０において、正常に撮影されていない場合は、撮影者により操作部７２を介して画像の消去指示が入力され、撮影された画像データが記憶装置７６から消去されて、再撮影される。
【００９４】
また、携帯端末１０においてＩ／Ｆ１４を介して撮影オーダ情報が受信された場合、撮影オーダ情報が表示部１３に表示される。このとき、携帯端末１０において、撮影オーダ情報の撮影枚数及び撮影サイズから、カセッテサイズ及びカセッテ枚数が算出され、撮影オーダ情報とともに、カセッテサイズ及びカセッテ枚数も表示される。技師は、表示部１３に表示された撮影オーダ情報、カセッテサイズ及びカセッテ枚数に基づいて、使用するＸ線源４０と、ＣＲカセッテ５０とを用意する。Ｘ線源４０及びＣＲカセッテ５０の組合せに対応する撮影枚数は、３枚以上である。しかし、技師は、ＦＰＤカセッテカメラ７０に比べて壊れにくく、持ち運びが容易であるＣＲカセッテ５０について、撮影に要する分のＣＲカセッテ５０を容易に持ち運ぶことができる。
【００９５】
技師は、表示部１３に表示された撮影オーダ情報を参照して、バーコードリーダ１７によりＣＲカセッテ５０のカセッテＩＤを入力し、Ｘ線源４０を用いて患者を撮影する。Ｘ線源４０とＣＲカセッテ５０との間に、患者の被写体部分が位置するように、Ｘ線源４０及びＣＲカセッテ５０がセットされる。そして、Ｘ線源４０から発生されたＸ線が患者を透過し、その透過したＸ線がＣＲカセッテ５０内の輝尽性蛍光体シートに医用画像として記録される。撮影後のＣＲカセッテ５０は、ＣＲ画像読取装置３０のバーコードリーダ３８により撮影した技師の技師ＩＤ、カセッテＩＤが読み取られ、ＣＲ画像読取装置３０にセットされる。操作者により操作部３２を介してＣＲカセッテ５０の読取指示が入力され、ＣＲカセッテ５０の輝尽性蛍光体シートに記録された画像が画像読取部３７により画像データとして読み取られ、その画像データが記憶装置３６に記憶されるとともに、当該画像データが技師ＩＤ、読取装置ＩＤを含む撮影結果情報とともに通信制御部３４及びネットワークＮを介して、撮影オーダ情報の送信元の制御装置２０に送信される。
【００９６】
なお、技師ＩＤの読み取りは、携帯端末１０のバーコードリーダ１７より技師のバーコードを読み取ることにより行い、携帯端末１０において技師ＩＤ、撮影装置ＩＤを含む撮影結果情報が作成されて制御装置２０に送信されることとしてもよい。
【００９７】
次いで、図８を参照して、制御装置２０において実行される撮影後処理を説明する。制御装置２０において、携帯端末１０、ＣＲ画像読取装置３０及びＦＰＤカセッテカメラ７０のうちの少なくとも１つから送信された画像データ及び撮影結果情報を受信開始したことをトリガとして、ＣＰＵ２１は、記憶装置２６に記憶されている撮影後処理プログラムを読み出してＲＡＭ２５に展開し、そのＲＡＭ２５内の撮影後処理プログラムとの協働により撮影後処理を実行する。また、記憶部２６には、撮影前処理で送信した撮影オーダ情報が記憶されているものとする。
【００９８】
先ず、携帯端末１０、ＣＲ画像読取装置３０及びＦＰＤカセッテカメラ７０のうちの少なくとも１つから送信された画像データ及び撮影結果情報が受信される（ステップＳ２１）。そして、撮影結果情報内の撮影装置ＩＤなどに基づいて、キャリブレーションなどの各種画像処理が画像データに施される（ステップＳ２２）。
【００９９】
そして、撮影結果情報に基づいて、ステップＳ２３において画像処理された画像データが撮影オーダ情報に関連付けて記憶装置２６に記憶される（ステップＳ２３）。撮影結果情報を、例えば、撮影オーダ情報の撮影ＩＤを共通として、撮影履歴管理ファイル２６１に記憶されことにより、画像データと撮影オーダ情報とを関連付ける。そして、記憶装置２６内の画像データに、当該画像データに対応する技師ＩＤ、カセッテＩＤ、撮影装置ＩＤ、読取装置ＩＤが、付帯情報として当該画像データに付加される（ステップＳ２４）。ここで、医用画像に付加される付帯情報は、ＤＩＣＯＭ規格に従って付加されることが望ましい。
【０１００】
そして、撮影オーダ情報が参照され、画像データなどの受信が終了したか否かが判別される（ステップＳ２５）。画像データなどの受信が終了していない場合（ステップＳ２５；ＮＯ）、ステップＳ２１に移行される。画像データなどの受信が終了した場合（ステップＳ２５；ＹＥＳ）、撮影後処理が終了される。
【０１０１】
以上、本実施の形態によれば、制御装置２０において、情報管理装置６０から取得した撮影オーダ情報に基づいて、患者ごとの撮影枚数を算出し、当該患者ごとの撮影枚数が２枚以上であるか否かを判別し、患者ごとの撮影枚数が２枚以上である場合に、撮影装置をＣＲ撮影装置（Ｘ線源４０及びＣＲカセッテ５０の組合せ）に設定して撮影オーダ情報をＣＲ撮影に対応する携帯端末１０に送信し、患者ごとの撮影枚数が２枚以上でない場合に、撮影装置をＦＰＤ撮影装置（Ｘ線源４０及びＦＰＤカセッテカメラ５０の組合せ）に設定して撮影オーダ情報をＦＰＤカセッテカメラ７０に送信するので、撮影者は、携帯端末１０及びＦＰＤカセッテカメラ７０のうちの少なくとも１つに表示される撮影オーダ情報に基づいて、適切な持ち運び量のＦＰＤカセッテカメラ７０を用意してＦＰＤ撮影を行うことができ、また、撮影量がＦＰＤカセッテカメラ７０の適切な持ち運び量を超える場合にも、持ち運びが容易なＣＲカセッテ５０を用いて撮影間隔が短いＣＲ撮影を行うことができ、撮影者及び患者の撮影負担を早期に軽減することができる。
【０１０２】
また、撮影後にＣＲ読取装置３０（及び携帯端末１０）及びＦＰＤカセッテカメラ７０は、複数の制御装置２０のうちの撮影オーダ情報の送信元の制御装置２０に画像データ及び撮影結果情報を送信するので、撮影オーダ情報の送信元の制御装置２０で、当該送信した撮影オーダ情報に対応して撮影された画像データ及び撮影結果情報を確実に取得することができる。
【０１０３】
なお、本実施の形態の医用画像撮影システム１００では、ネットワークＮとは別に、制御装置２０に通信端末１０−１が接続される構成であるが、これに限るものではない。例えば、通信端末１０−１がネットワークＮに接続されて、ネットワークＮ及び通信端末１０−１を介して制御装置２０と携帯端末１０とが接続される構成でもよい。また、ＦＰＤカセッテカメラ７０がネットワークＮに接続される構成に限るものではなく、ＦＰＤカセッテカメラ７０が制御装置２０に直接接続される構成としてもよい。
【０１０４】
また、本実施の形態の医用画像撮影システム１００では、図９（ａ）に示すように、ＦＰＤカセッテカメラ７０が表示部７３を備えて、表示部７３に撮影オーダ情報が表示される構成であるが、これに限るものではない。例えば、図９（ｂ）に示すように、表示部を有しないＦＰＤカセッテカメラ７０Ａを備えて、撮影オーダ情報は、携帯端末１０に表示される構成としてもよい。また、ＦＰＤカセッテカメラ７０及び７０Ａを組み合わせて設けることとしてもよい。
【０１０５】
また、制御装置２０が複数ある場合に、全ての制御装置２０に、撮影枚数に基づいて撮影装置の設定を行う機能を有する必要はなく、当該機能を少なくとも１台の適切な台数の制御装置２０が有することとしてもよい。この場合、適切なシステム規模及びコストの医用画像撮影システムを構成することができる。
【０１０６】
また、本実施の形態において、撮影装置の設定の判別に、患者ごとの撮影枚数を用いる構成であったが、これに限るものではない。例えば、病室ごと、依頼科ごとなどの撮影枚数を用いる構成としてもよい。
【０１０７】
また、本実施の形態の撮影前処理において、撮影装置をＦＰＤ撮影装置にするかＣＲ撮影装置のいずれにするかの設定を、撮影枚数が３枚以上であるか否かに基づいて行っているが、これに限るものではない。例えば、撮影枚数が２枚以上など、他の枚数を判別の基準としてもよい。これに関して、技師はＦＰＤカセッテカメラ７０を１つ持ち運ぶ方が容易であるため、撮影枚数が２枚以上であるか否かによる判別のほうが好ましい。
【０１０８】
また、撮影枚数を撮影装置の決定の判別に用いる構成に限るものではなく、画像サイズを撮影装置の決定の判別に用いる構成としてもよい。さらに、撮影枚数と画像サイズとを組み合わせて撮影装置の決定の判別に用いる構成としてもよい。例えば、画像サイズが大四切の場合で、撮影枚数が２枚以上である場合に撮影装置をＣＲ撮影装置に設定し、撮影枚数が２枚以上でない場合に撮影装置をＦＰＤ撮影装置に設定し、画像サイズが半切の場合で、撮影枚数が３枚以上である場合に撮影装置をＣＲ撮影装置に設定し、撮影枚数が３枚以上でない場合に撮影装置をＦＰＤ撮影装置に設定するなどの構成としてもよい。
【０１０９】
さらに、撮影サイズ及び撮影枚数に代えて、ＦＰＤカセッテカメラ７０のカセッテサイズ及びカセッテ枚数に基づいて撮影装置の設定の判別をする構成としてもよい。例えば、撮影前処理において、制御装置２０で、撮影オーダ情報中の撮影サイズ及び撮影枚数から、その撮影に要するＦＰＤカセッテカメラ７０のカセッテサイズ及びカセッテ枚数を算出し、撮影装置の決定の判別基準に用いる構成となる。また、同様に、撮影に要するＣＲカセッテ５０のカセッテサイズ及びカセッテ枚数に基づいて撮影装置の決定の判別する構成としてもよい。
【０１１０】
また、本実施の形態の撮影前処理において、撮影装置がＣＲ撮影装置及びＦＰＤ撮影装置の両方である場合に、ＣＲ撮影装置及びＦＰＤ撮影装置の両方に、全ての撮影装置に対応する撮影オーダ情報を制御装置２０から送信する構成であるが、これに限るものではない。例えば、全ての撮影装置に対応する撮影オーダ情報から、ＣＲ撮影装置用の撮影オーダ情報と、ＦＰＤ撮影装置用の撮影オーダ情報とを作成し、制御装置２０から、ＣＲ撮影装置用の撮影オーダ情報を携帯端末１０に送信するとともに、ＦＰＤ撮影装置用の撮影オーダ情報をＦＰＤカセッテカメラ７０に送信する構成としてもよい。さらに、ＦＰＤカセッテカメラ７０及び携帯端末１０において、ＣＲ撮影装置及びＦＰＤ撮影装置に対応する全撮影オーダ情報を受信し、ＦＰＤカセッテカメラ７０において、当該全撮影オーダ情報からＦＰＤ撮影装置用の撮影オーダ情報を抽出して表示部７３に表示し、携帯端末１０において、前記全撮影オーダ情報からＣＲ撮影装置用の撮影オーダ情報を抽出して表示部１３に表示する構成としてもよい。
【０１１１】
また、撮影履歴管理ファイル２６１に記憶される情報は、上述した例に限定されず、種々の情報を記憶可能である。例えば、撮影履歴管理ファイル２６１に、撮影オーダ情報を記憶する構成であってもよく、その他撮影に関与した事象に関する情報として、携帯端末１０の識別番号、通信端末１０−１の識別番号、画像処理時の画像処理条件、画像処理を行った技師ＩＤなどを撮影オーダ情報に対応付けて記憶する構成であってもよい。また、撮影オーダ情報の対応付けは、撮影ＩＤ、カセッテＩＤ、患者ＩＤなど、種々の情報に基づいて行われる構成であってよい。また、撮影オーダ情報と画像データとの関連付けも同様に種々の情報に基づいてその対応関係が明確であればよい。また、撮影オーダ情報と画像データとの関連付けは、撮影装置の情報、撮影時刻の情報などを含むユニークなＵ（ユニーク）ＩＤを画像データに付与し、ＵＩＤを撮影オーダ情報に関連付ける構成としてもよい。
【０１１２】
さらに、技師ＩＤ、カセッテＩＤ、撮影装置ＩＤの取得時期は、上述した例に限定されず、撮影オーダ情報との対応関係が明確であれば、任意の時期に取得可能である。例えば、制御装置２０から携帯端末１０に送信される撮影オーダ情報の中に技師ＩＤが含まれる構成であってもよく、この場合、撮影時において、携帯端末１０は技師ＩＤの入力のみを行う構成であってもよい。或いは、カセッテＩＤを撮影終了後に登録する後登録である場合、撮影開始前にカセッテＩＤが取得されない構成であってもよい。
【０１１３】
また、技師ＩＤ、カセッテＩＤ、撮影装置ＩＤなどは、携帯端末１０のバーコードリーダ１７により取得する構成としたがこれに限らず、技師のＩＤカード、ＣＲカセッテ５０、Ｘ線源４０などに、各識別情報を記録したＩＣチップを備え、ＩＣチップに記録された識別情報を携帯端末１０により取得する構成であってもよい。この場合、携帯端末１０には、ＩＣリーダ（図示せず）を備える構成とする。
【０１１４】
また、ネットワークＮに、ＣＲ方式、ＣＴ方式などの方式の固定設置された画像生成装置を接続して、制御装置２０によりこれらの画像生成も管理する構成としてもよい。また、Ｘ線源４０は、ネットワークＮに接続されず、制御装置２０から独立して動作する構成とするが、これに限るものではなく、Ｘ線源４０がネットワークＮ又は制御装置２０に接続されて、制御装置２０と連動して動作可能とする構成としてもよい。
【０１１５】
その他、本実施の形態における医用画像撮影システム１００の各構成要素の細部構成、及び細部動作に関しては、本発明の趣旨を逸脱することのない範囲で適宜変更可能であることは勿論である。
【図面の簡単な説明】
【０１１６】
【図１】本発明に係る実施の形態の医用画像撮影システム１００のブロック構成図である。
【図２】携帯端末１０の機能的構成を示すブロック図である。
【図３】撮影オーダ情報ファイル１６１のデータ構成例を示す図である。
【図４】制御装置２０の機能的構成を示すブロック図である。
【図５】撮影履歴管理ファイル２６１のデータ構成例を示す図である。
【図６】ＦＰＤカセッテカメラ７０の機能的構成を示すブロック図である。
【図７】制御装置２０において実行される撮影前処理を示すフローチャートである。
【図８】制御装置２０において実行される撮影後処理を示すフローチャートである。
【図９】撮影オーダ情報の表示を示す図であり、（ａ）はＦＰＤカセッテカメラ７０に撮影オーダ情報を表示させる構成を示す図であり、（ｂ）は携帯端末１０に撮影オーダ情報を表示させる構成を示す図である。
【符号の説明】
【０１１７】
１００  医用画像撮影システム
１０  携帯端末
１０−１  通信端末
２０  制御装置
３０  ＣＲ画像読取装置
４０  Ｘ線源
５０  ＣＲカセッテ
６０  情報管理装置
７０，７０Ａ  ＦＰＤカセッテカメラ
１１，２１，７１  ＣＰＵ
１２，２２，７２  操作部
１３，２３，７３  表示部
１４，２７  Ｉ／Ｆ
１５，２５，７５  ＲＡＭ
１６，２６，７６  記憶装置
１６１  撮影オーダ情報ファイル
２６１  撮影履歴管理ファイル
１６  通信制御部
１７  バーコードリーダ
１８，２８，７８  バス
２４，７７  通信制御部
７４  画像読取部
Ｎ  ネットワーク
【図１】
2005111056.tif 000003
【図２】
2005111056.tif 000004
【図３】
2005111056.tif 000005
【図４】
2005111056.tif 000006
【図５】
2005111056.tif 000007
【図６】
2005111056.tif 000008
【図７】
2005111056.tif 000009
【図８】
2005111056.tif 000010
【図９】
2005111056.tif 000011